【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
波長可変光源より出射された光を光分割器によって測定光と参照光に分割し、前記測定光を被検眼に向けて照射し、前記測定光の前記被検眼からの反射光と，前記参照光と，が合成された合成光のスペクトルを検出器によって受光し、前記検出器から出力される干渉信号を処理して、断層画像を取得する眼科撮影装置であって、
前記干渉信号は、前記波長可変光源の共振によって周期的に発生する可干渉区間における第１可干渉区間での第１干渉信号と，可干渉区間における、前記第１可干渉区間とは深さ方向に異なる領域の第２可干渉区間での第２干渉信号と，を含み、
前記第１干渉信号に基づいて前記被検眼の前側領域に関する第１深度情報を取得し、且つ、前記第２干渉信号に基づいて前記被検眼の後側領域に関する第２深度情報を取得する演算手段を備えることを特徴とする眼科撮影装置。
【請求項２】
請求項１の眼科撮影装置において、
前記演算手段は、前記第１可干渉区間と，前記第２可干渉区間と，との間の深度方向における距離情報を取得し、
前記第１深度情報と，前記第２深度情報と，前記距離情報と，に基づいて、前記被検眼の眼特性情報を取得することを特徴とする眼科撮影装置。
【請求項３】
請求項1の眼科撮影装置において、
前記演算手段は、前記測定光の進行方向を変更する光スキャナにより前記被検眼上で前記測定光を走査することによって、複数の各走査位置において前記第１干渉信号を取得し、複数の各走査位置において取得された前記第１干渉信号の第１深度情報に基づいて、前記前側領域に関する第１断層画像を取得するとともに、前記光スキャナにより前記被検眼上で前記測定光を走査することによって、複数の各走査位置において前記第２干渉信号を取得し、複数の各走査位置において取得された前記第２干渉信号の第２深度情報に基づいて、前記後側領域に関する第２断層画像を取得することを特徴とする眼科撮影装置。
【請求項４】
請求項１〜３のいずれかの眼科撮影装置において、
前記演算手段は、光路長調整手段を制御し、光路長を調整することによって、前記第１可干渉区間内における前記被検眼の前記前側領域に関する前記第１深度情報の取得される位置と，前記第２可干渉区間内における前記被検眼の前記後側領域に関する前記第２深度情報の取得される位置とを，各可干渉区間に対して相対的に移動させ、前記第１深度情報の移動方向と，前記第２深度情報の移動方向と，に基づいて、前記第１可干渉区間における前記第１干渉信号と、前記第２可干渉区間における前記第２干渉信号と、を判別することによって、前記干渉信号から前記第１干渉信号と前記第２干渉信号を抽出することを特徴とする眼科撮影装置。
【請求項５】
波長可変光源より出射された光を光分割器によって測定光と参照光に分割し、前記測定光を被検眼に向けて照射し、前記測定光の前記被検眼からの反射光と，前記参照光と，が合成された合成光のスペクトルを検出器によって受光し、前記検出器から出力される干渉信号を処理して、断層画像とを取得する眼科撮影装置の動作を制御する制御装置において実行される眼科撮影プログラムであって、
前記制御装置のプロセッサによって実行されることで、
前記干渉信号に含まれる干渉信号であって、前記波長可変光源の共振によって周期的に発生する可干渉区間における第１可干渉区間での第１干渉信号に基づいて、前記被検眼の前側領域に関する第１深度情報を取得する第１演算ステップと，
前記干渉信号に含まれる干渉信号であって、前記波長可変光源の共振によって周期的に発生する可干渉区間において、可干渉区間における、前記第１可干渉区間とは深さ方向に異なる領域である第２可干渉区間での第２干渉信号に基づいて、前記被検眼の後側領域に関する第２深度情報を取得する第２演算ステップと、
を前記制御装置に実行させることを特徴とする眼科撮影プログラム。
【手続補正２】
【補正対象書類名】明細書
【補正対象項目名】０００８
【補正方法】変更
【補正の内容】
【０００８】
（１）  波長可変光源より出射された光を光分割器によって測定光と参照光に分割し、前記測定光を被検眼に向けて照射し、前記測定光の前記被検眼からの反射光と，前記参照光と，が合成された合成光のスペクトルを検出器によって受光し、前記検出器から出力される干渉信号を処理して、断層画像を取得する眼科撮影装置であって、前記干渉信号は、前記波長可変光源の共振によって周期的に発生する可干渉区間における第１可干渉区間での第１干渉信号と，可干渉区間における、前記第１可干渉区間とは深さ方向に異なる領域の第２可干渉区間での第２干渉信号と，を含み、前記第１干渉信号に基づいて前記被検眼の前側領域に関する第１深度情報を取得し、且つ、前記第２干渉信号に基づいて前記被検眼の後側領域に関する第２深度情報を取得する演算手段を備える。
（２）  （１）の眼科撮影装置において、前記演算手段は、前記第１可干渉区間と，前記第２可干渉区間と，との間の深度方向における距離情報を取得し、前記第１深度情報と，前記第２深度情報と，前記距離情報と，に基づいて、前記被検眼の眼特性情報を取得することを特徴とする。
（３）  （１）の眼科撮影装置において、前記演算手段は、前記測定光の進行方向を変更する光スキャナにより前記被検眼上で前記測定光を走査することによって、複数の各走査位置において前記第１干渉信号を取得し、複数の各走査位置において取得された前記第１干渉信号の第１深度情報に基づいて、前記前側領域に関する第１断層画像を取得するとともに、前記光スキャナにより前記被検眼上で前記測定光を走査することによって、複数の各走査位置において前記第２干渉信号を取得し、複数の各走査位置において取得された前記第２干渉信号の第２深度情報に基づいて、前記後側領域に関する第２断層画像を取得することを特徴とする。
（４）  （１）〜（３）のいずれかの眼科撮影装置において、前記演算手段は、光路長調整手段を制御し、光路長を調整することによって、前記第１可干渉区間内における前記被検眼の前記前側領域に関する前記第１深度情報の取得される位置と，前記第２可干渉区間内における前記被検眼の前記後側領域に関する前記第２深度情報の取得される位置とを，各可干渉区間に対して相対的に移動させ、前記第１深度情報の移動方向と，前記第２深度情報の移動方向と，に基づいて、前記第１可干渉区間における前記第１干渉信号と、前記第２可干渉区間における前記第２干渉信号と、を判別することによって、前記干渉信号から前記第１干渉信号と前記第２干渉信号を抽出することを特徴とする。
（５）  波長可変光源より出射された光を光分割器によって測定光と参照光に分割し、前記測定光を被検眼に向けて照射し、前記測定光の前記被検眼からの反射光と，前記参照光と，が合成された合成光のスペクトルを検出器によって受光し、前記検出器から出力される干渉信号を処理して、断層画像とを取得する眼科撮影装置の動作を制御する制御装置において実行される眼科撮影プログラムであって、前記制御装置のプロセッサによって実行されることで、前記干渉信号に含まれる干渉信号であって、前記波長可変光源の共振によって周期的に発生する可干渉区間における第１可干渉区間での第１干渉信号に基づいて、前記被検眼の前側領域に関する第１深度情報を取得する第１演算ステップと，前記干渉信号に含まれる干渉信号であって、前記波長可変光源の共振によって周期的に発生する可干渉区間において、可干渉区間における、前記第１可干渉区間とは深さ方向に異なる領域である第２可干渉区間での第２干渉信号に基づいて、前記被検眼の後側領域に関する第２深度情報を取得する第２演算ステップと、を前記制御装置に実行させることを特徴とする。